(57)【要約】  この可搬型バッテリの充電器は、電動車両に用いられる可搬型のバッテリ（４５）の充電器（１）の内部に配置された冷却ファン（２８）と、前記充電器（１）が設置される設置面（ＦＬ）に対向する第一面（１ａ）と、前記第一面（１ａ）よりも前記設置面（ＦＬ）から離反する第二面（１ｂ）と、を備え、前記第一面（１ａ）は、前記第二面（１ｂ）よりも小さく、側面視で、前記充電器（１）の側壁（３）は、前記第一面（１ａ）に沿う第一辺が前記第二面（１ｂ）に沿う第二辺よりも短い台形形状をなしている。
2019176243.tif 000002
【特許請求の範囲】
【請求項１】
電動車両に用いられる可搬型のバッテリ（４５）の充電器（１）の内部に配置された冷却ファン（２８）と、
前記充電器（１）が設置される設置面（ＦＬ）に対向する第一面（１ａ）と、前記第一面（１ａ）よりも前記設置面（ＦＬ）から離反する第二面（１ｂ）と、を備え、
前記第一面（１ａ）は、前記第二面（１ｂ）よりも小さく、
側面視で、前記充電器（１）の側壁（３）は、前記第一面（１ａ）に沿う第一辺が前記第二面（１ｂ）に沿う第二辺よりも短い台形形状をなしていることを特徴とする可搬型バッテリの充電器。
【請求項２】
前記第一面（１ａ）としての前記充電器（１）の下面（１ａ）は、前記第二面（１ｂ）としての前記充電器（１）の上面（１ｂ）よりも小さく、
側面視で、前記側壁（３）は、前記下面（１ａ）に沿う下辺が前記上面（１ｂ）に沿う上辺よりも短い台形形状をなしていることを特徴とする請求項１に記載の可搬型バッテリの充電器。
【請求項３】
バッテリ（４５）を挿入可能かつ取り出し可能に開口する開口部（３９）を形成し、前記側壁（３）を外方から覆うカバー部材（４）を更に備え、
前記側壁（３）と前記カバー部材（４）との間には、冷却風を導入可能または排出可能に開口する隙間部（３８）が設けられていることを特徴とする請求項１または２に記載の可搬型バッテリの充電器。
【請求項４】
バッテリ（４５）を載置するバッテリ室（６）と、前記バッテリ（４５）の充電制御を行う基板（７１，７２）を格納する基板室（７）と、を更に備え、
前記第一面（１ａ）から前記第二面（１ｂ）に向けて、前記冷却ファン（２８）、前記基板室（７）、前記バッテリ室（６）の順に配置されていることを特徴とする請求項１から３のいずれか一項に記載の可搬型バッテリの充電器。
【請求項５】
前記第一面（１ａ）よりも前記設置面（ＦＬ）から離反する位置には、冷却風を導入可能に開口する導入口（３８）が設けられ、
前記導入口（３８）よりも前記設置面（ＦＬ）に近接する位置には、前記冷却風を排出可能に開口する排出口（２５）が設けられていることを特徴とする請求項１から４のいずれか一項に記載の可搬型バッテリの充電器。
【請求項６】
前記第一面（１ａ）よりも前記設置面（ＦＬ）から離反する位置には、冷却風を排出可能に開口する排出口（３８）が設けられ、
前記排出口（３８）よりも前記設置面ＦＬに近接する位置には、前記冷却風を導入可能に開口する導入口（２５）が設けられていることを特徴とする請求項１から４のいずれか一項に記載の可搬型バッテリの充電器。
【請求項７】
前記第二面（１ｂ）の角部は、弧状をなしていることを特徴とする請求項１から６のいずれか一項に記載の可搬型バッテリの充電器。
【発明の詳細な説明】
【技術分野】
【０００１】
本発明は、可搬型バッテリの充電器に関する。
本発明は、２０１８年３月１２日に、日本に出願された特願２０１８−０４４４６６号に基づき優先権を主張し、その内容をここに援用する。
【背景技術】
【０００２】
従来、電動車両に用いられるバッテリを充電する充電器において、例えば特許文献１に開示されたものがある。特許文献１には、電気機器に作動電力を供給するバッテリと、バッテリが着脱可能に装着されてバッテリを充電する充電器と、を備えた携帯型電源装置が開示されている。
【先行技術文献】
【特許文献】
【０００３】
【特許文献１】日本国特開２０１３−９９２００号公報
【発明の概要】
【発明が解決しようとする課題】
【０００４】
ところで、自動二輪車などに用いられるバッテリを充電する充電器においては、充電に用いられる電流値が大きくなることから、充電器を冷却することが望まれている。【０００５】
そこで本発明は、可搬型バッテリの充電器において、充電器を冷却することを目的とする。
【課題を解決するための手段】
【０００６】
上記課題の解決手段として、本発明の態様は以下の構成を有する。
（１）本発明の態様に係る可搬型バッテリの充電器は、電動車両に用いられる可搬型のバッテリ（４５）の充電器（１）の内部に配置された冷却ファン（２８）と、前記充電器（１）が設置される設置面（ＦＬ）に対向する第一面（１ａ）と、前記第一面（１ａ）よりも前記設置面（ＦＬ）から離反する第二面（１ｂ）と、を備え、前記第一面（１ａ）は、前記第二面（１ｂ）よりも小さく、側面視で、前記充電器（１）の側壁（３）は、前記第一面（１ａ）に沿う第一辺が前記第二面（１ｂ）に沿う第二辺よりも短い台形形状をなしている。【０００７】
（２）上記（１）に記載の可搬型バッテリの充電器では、前記第一面（１ａ）としての前記充電器（１）の下面（１ａ）は、前記第二面（１ｂ）としての前記充電器（１）の上面（１ｂ）よりも小さく、側面視で、前記側壁（３）は、前記下面（１ａ）に沿う下辺が前記上面（１ｂ）に沿う上辺よりも短い台形形状をなしていてもよい。【０００８】
（３）上記（１）または（２）に記載の可搬型バッテリの充電器では、前記バッテリ（４５）を挿入可能かつ取り出し可能に開口する開口部（３９）を形成し、前記側壁（３）を外方から覆うカバー部材（４）を更に備え、前記側壁（３）と前記カバー部材（４）との間には、冷却風を導入可能または排出可能に開口する隙間部（３８）が設けられていてもよい。【０００９】
（４）上記（１）から（３）のいずれか一項に記載の可搬型バッテリの充電器では、前記バッテリ（４５）を載置するバッテリ室（６）と、前記バッテリ（４５）の充電制御を行う基板（７１，７２）を格納する基板室（７）と、を更に備え、前記第一面（１ａ）から前記第二面（１ｂ）に向けて、前記冷却ファン（２８）、前記基板室（７）、前記バッテリ室（６）の順に配置されていてもよい。【００１０】
（５）上記（１）から（４）のいずれか一項に記載の可搬型バッテリの充電器では、前記第一面（１ａ）よりも前記設置面（ＦＬ）から離反する位置には、冷却風を導入可能に開口する導入口（３８）が設けられ、前記導入口（３８）よりも前記設置面（ＦＬ）に近接する位置には、前記冷却風を排出可能に開口する排出口（２５）が設けられていてもよい。【００１１】
（６）上記（１）から（４）のいずれか一項に記載の可搬型バッテリの充電器では、前記第一面（１ａ）よりも前記設置面（ＦＬ）から離反する位置には、冷却風を排出可能に開口する排出口（３８）が設けられ、前記排出口（３８）よりも前記設置面ＦＬに近接する位置には、前記冷却風を導入可能に開口する導入口（２５）が設けられていてもよい。【００１２】
（７）上記（１）から（６）のいずれか一項に記載の可搬型バッテリの充電器では、前記第二面（１ｂ）の角部は、弧状をなしていてもよい。
【発明の効果】
【００１３】
本発明の上記（１）に記載の可搬型バッテリの充電器によれば、充電器の内部に配置された冷却ファンを備えることで、冷却ファンにより冷却風を充電器の内部に送ることができるため、充電器を冷却することができる。加えて、充電器は、充電器が設置される設置面に対向する第一面と、第一面よりも設置面から離反する第二面と、を備え、第一面は、第二面よりも小さく、側面視で、充電器の側壁は、第一面に沿う第一辺が第二面に沿う第二辺よりも短い台形形状をなしていることで、以下の効果を奏する。例えば、側面視で充電器の側壁が矩形をなしていると、充電器を設置面に複数並べて隣接させた場合、隣り合う二つの充電器の側壁同士が接触するため、隣り合う二つの充電器の間に熱がこもり易く、冷却性能が低下する可能性が高い。これに対し、請求項１に記載した発明によれば、側面視で充電器の側壁が台形形状をなしていることにより、充電器を設置面に複数並べて隣接させた場合であっても、隣り合う二つの充電器の側壁同士が接触しないため（隣り合う二つの充電器の側壁の間に隙間が生じるため）、隣り合う二つの充電器の間に熱がこもり難く、冷却性能が低下する可能性は低い。加えて、充電器を設置面に複数並べて隣接させた場合であっても、隣の充電器からのもらい熱を抑え、隣り合う二つの充電器の側壁の間に生じる隙間で充電器を冷却することができる。加えて、充電器の側壁は、第一面に沿う第一辺が第二面に沿う第二辺よりも短い台形形状をなしていることで、第一辺が第二辺よりも長い台形形状をなす場合と比較して、充電器の設置面積を小さくすることができる。【００１４】
本発明の上記（２）に記載の可搬型バッテリの充電器によれば、第一面としての充電器の下面は、第二面としての充電器の上面よりも小さく、側面視で、側壁は、下面に沿う下辺が上面に沿う上辺よりも短い台形形状をなしていることで、以下の効果を奏する。上下方向に起立する充電器を水平面に平行な設置面に複数並べて隣接させた場合であっても、隣り合う二つの充電器の側壁同士が接触しないため、隣り合う二つの充電器の間に熱がこもり難く、冷却性能が低下する可能性は低い。【００１５】
本発明の上記（３）に記載の可搬型バッテリの充電器によれば、バッテリを挿入可能かつ取り出し可能に開口する開口部を形成し、側壁を外方から覆うカバー部材を更に備え、側壁とカバー部材との間には、冷却風を導入可能または排出可能に開口する隙間部が設けられていることで、以下の効果を奏する。充電器の側壁に冷却風用の開口部を設けることなく、充電器の側壁とカバー部材との間の隙間部を利用して冷却風の導入または排出を制御することができる。すなわち、充電器の側壁に特別な加工を施す必要がなく、好適である。【００１６】
本発明の上記（４）に記載の可搬型バッテリの充電器によれば、バッテリを載置するバッテリ室と、バッテリの充電制御を行う基板を格納する基板室と、を更に備え、第一面から第二面に向けて、冷却ファン、基板室、バッテリ室の順に配置されていることで、以下の効果を奏する。冷却ファン、基板室およびバッテリ室が第一面から第二面に向けて重なるように配置されるため、冷却ファン、基板室およびバッテリ室が第一面に沿うように配置された場合と比較して、充電器の設置面積を小さくすることができる。【００１７】
本発明の上記（５）に記載の可搬型バッテリの充電器によれば、第一面よりも設置面から離反する位置には、冷却風を導入可能に開口する導入口が設けられ、導入口よりも設置面に近接する位置には、冷却風を排出可能に開口する排出口が設けられていることで、以下の効果を奏する。設置面に存在する塵埃などの異物が充電器の内部に吸い込まれ難くなるため、冷却ファンの性能が低下することを抑制することができる。加えて、第一面から第二面に向けて、冷却ファン、基板室、バッテリ室の順に配置されている場合には、導入口からの冷却風は、バッテリ室、基板室の順に流れ、排出口から排出されるため、基板室を通過して暖まった風がバッテリ室に流れる可能性は低く、バッテリ室への熱影響を防止することができる。【００１８】
本発明の上記（６）に記載の可搬型バッテリの充電器によれば、第一面よりも設置面から離反する位置には、冷却風を排出可能に開口する排出口が設けられ、排出口よりも設置面に近接する位置には、冷却風を導入可能に開口する導入口が設けられていることで、以下の効果を奏する。第一面から第二面に向けて、冷却ファン、基板室、バッテリ室の順に配置されている場合には、導入口からの冷却風は、基板室、バッテリ室の順に流れ、排出口から排出されるため、基板に冷却風を直接当てることができ、基板の冷却効率が向上する。【００１９】
本発明の上記（７）に記載の可搬型バッテリの充電器によれば、第二面の角部は、弧状をなしていることで、以下の効果を奏する。充電器を設置面に複数並べて隣接させた場合であっても、隣り合う二つの充電器の第二面の角部同士が接触しないため（隣り合う二つの充電器の角部の間に隙間が生じるため）、角部において風の流れが妨げられ難く、冷却性能が向上する。
【図面の簡単な説明】
【００２０】
【図１】実施形態に係る充電器の斜視図である。
【図２】実施形態に係る充電器の上面図である。
【図３】実施形態に係る充電器の下面図である。
【図４】実施形態に係る充電器の前面図である。
【図５】図２のＶ−Ｖ断面を含む図である。
【図６】実施形態に係る充電器の内部の斜視図である。
【図７】図６においてリッドおよび連結柱を取り外した図である。
【図８】実施形態に係るドレイン管の周辺部の斜視図である。
【図９】実施形態に係る充電器をバッテリと共に示す上面図である。
【図１０】実施形態に係る充電器をバッテリと共に示す後面図である。
【図１１】実施形態に係る端子部の配置位置の説明図である。
【図１２】実施形態に係る冷却ファンの作用の説明図である。
【図１３】実施形態に係る冷却ファンの配置位置の説明図である。
【図１４】実施形態に係る充電器を設置面に複数並べて隣接させた状態を示す上面図である。
【図１５】実施形態に係る充電器を設置面に複数並べて隣接させた状態を示す前面図である。
【図１６】実施形態の変形例に係る冷却ファンの作用の説明図である。
【図１７】実施形態の変形例に係る冷却ファンの配置位置の説明図である。
【図１８】実施形態の変形例に係る冷却ファンの導風構造の下面図である。
【図１９】図１８のＸＩＸ−ＸＩＸ断面を含む図である。
【図２０】実施形態の変形例に係る充電器の内部構造の斜視図である。
【図２１】実施形態の変形例に係るステージが最上方に位置している状態を示す斜視図である。
【図２２】実施形態の変形例に係るステージが最下方に移動した状態を示す斜視図である。
【発明を実施するための形態】
【００２１】
以下、本発明の実施形態について図面を参照して説明する。各図において、同一構成については同一の符号を付す。実施形態においては、可搬型バッテリの充電器の一例として、電動式の自動二輪車（鞍乗型電動車両）に用いられる可搬型バッテリ（モバイルバッテリ）の充電器を挙げて説明する。実施形態において、可搬型バッテリ（以下単に「バッテリ」ともいう。）の充電器（以下単に「充電器」ともいう。）が設置される設置面は、屋内の平坦な床面とする。
【００２２】
＜充電器１＞
図１に示すように、充電器１は、充電器１底部を構成する基台２と、充電器１側壁を構成する外装体３と、バッテリ４５（図１０参照）を挿入可能かつ取り出し可能に開口する開口部３９（以下「バッテリ開口３９」ともいう。）を形成するカバー部材４と、充電器１の骨格を構成するフレーム５（図６参照）と、バッテリ４５を載置するバッテリ室６（図５参照）と、バッテリ４５の充電制御を行う基板を格納する基板室７（図５参照）と、バッテリ４５を載置可能なステージ８と、バッテリ４５に嵌合可能な端子部９（図５参照）と、端子部９へのバッテリ４５の嵌合速度を抑制する緩衝機構１０（図６参照）と、ステージ８を案内するガイド機構１１（図６参照）と、充電器１の内部に配置された冷却ファン２８（図３参照）と、を備える。
【００２３】
以下の説明においては、充電器１を床面ＦＬに設置したときの奥行方向（図４に示す紙面に直交する方向）を「前後方向」、床面ＦＬの法線方向（鉛直方向）を「上下方向」、前後方向および上下方向のそれぞれに直交する方向を「左右方向」とする。図中において、前方を矢印ＦＲ、上方を矢印ＵＰ、左方を矢印ＬＨでそれぞれ示している。
【００２４】
充電器１は、設置面ＦＬに対向する第一面１ａと、第一面１ａよりも設置面ＦＬから離反する第二面１ｂと、を備える。実施形態において、第一面１ａとしての充電器１の下面１ａは、第二面１ｂとしての充電器１の上面１ｂよりも小さい。図３の下面視で、充電器１の下面１ａの外形は、充電器１の上面１ｂの外形よりも小さい。
【００２５】
＜基台２＞
図３の下面視で、基台２は、左右方向に長手を有する矩形状をなしている。基台２の四つの角部は、外方に凸の弧状をなしている。図５に示すように、基台２は、充電器１の構成要素を下方から支持する基台本体２０と、基台本体２０の四隅から床面に向けて延出する脚部２１と、基台本体２０の四辺から上方に延出する基台フランジ２２と、を備える。
図３において、符号２７は電源プラグ、符号２８は冷却ファンをそれぞれ示す。
【００２６】
図５に示すように、基台２は、床面ＦＬとの間に隙間を形成する凹部２３を備える。図５の断面視で、凹部２３は、基台本体２０の下面と、一対の脚部２１の外面とによって形成されている。凹部２３には、ドレイン管６５（図８参照）に連通する排水口２４（図３参照）が設けられている。
【００２７】
＜外装体３＞
図４の前面視で、外装体３（充電器１の側壁３）は、充電器１の下面１ａに沿う下辺が充電器１の上面１ｂに沿う上辺よりも短い台形形状をなしている。外装体３は、上側ほど開口面積が広がるように上下方向に延びる矩形筒状をなしている。外装体３の下端は、基台２に結合されている。
【００２８】
図３に示すように、外装体３の左右幅は、外装体３の前後幅よりも大きい。外装体３は、前壁３１、後壁３２、左壁３３および右壁３４を備える。前壁３１および後壁３２は、前後方向に間隔をあけて対向している。左壁３３および右壁３４は、左右方向に間隔をあけて対向している。前壁３１、後壁３２、左壁３３および右壁３４は、隣り合う壁と互いに連結されている。前壁３１、後壁３２、左壁３３および右壁３４は、同一の部材で一体に形成されている。図３の下面視で、前後壁３１，３２と左右壁３３，３４との連結部は、外方に凸の弧状をなしている。
【００２９】
図４に示すように、外装体３の下部には、上方に窪む台形形状の凹部３５（以下「台形凹部３５」ともいう。）が設けられている。台形凹部３５は、前壁３１、後壁３２、左壁３３および右壁３４のそれぞれの下部中央に設けられている。台形凹部３５を通じて、基台２の一部は外方に露出している。
【００３０】
＜カバー部材４＞
図２の上面視で、カバー部材４は、左右方向に長手を有する矩形枠状をなしている。図２の上面視で、カバー部材４の外形は、基台２（図３参照）の外形よりも大きい。カバー部材４の四つの角部（充電器１の上面１ｂの角部）は、外方に凸の弧状をなしている。
【００３１】
図４に示すように、カバー部材４は、外装体３の上端部に取り付けられている。カバー部材４は、外装体３を上方から覆っている。外装体３の上端とカバー部材４との間には、冷却風を導入可能に開口する導入口３８（隙間部）が設けられている。
【００３２】
図５に示すように、カバー部材４は、バッテリ開口３９を形成するカバー本体４０と、カバー本体４０から下方に延出するカバー側フランジ４１と、を備える。図９の上面視で、バッテリ開口３９は、バッテリ４５の外形と実質的に同一の輪郭を有している。
【００３３】
図１０に示すように、バッテリ４５は、直方体状をなしている。例えば、バッテリ４５は、リチウムイオンバッテリ４５である。
図９の上面視で、バッテリ４５は、左右方向に延在する前辺４５ａと、後方に凸の湾曲形状をなす後辺４５ｂと、前後方向に延在する左右一対の左辺４５ｃおよび右辺４５ｄと、を有している。図９、図１０において符号４６は、バッテリ４５を把持するための把持部（取っ手）を示す。
【００３４】
図９の上面視で、バッテリ開口３９は、左右方向に延在する前縁３９ａと、後方に凸の湾曲形状をなす後縁３９ｂと、前後方向に延在する左右一対の左縁３９ｃおよび右縁３９ｄと、で区画されている。
これにより、バッテリ４５を前後逆にした状態でバッテリ４５をバッテリ開口３９に挿入しようとしても、バッテリ４５の後辺４５ｂの凸部がバッテリ開口３９の前縁３９ａに当たるため、バッテリ４５をバッテリ開口３９に挿入できないようになっている。
【００３５】
＜フレーム５＞
図６に示すように、フレーム５は、充電器１の上部に配置された枠状の枠体５０と、枠体５０と基台２との上下間に配置された板状の第一プレート５１と、第一プレート５１と基台２との上下間に配置された板状の第二プレート５２と、枠体５０、第一プレート５１および第二プレート５２を連結する複数の連結柱５３と、を備える。
【００３６】
枠体５０および第一プレート５１は、バッテリ室６を区画している。
第一プレート５１および第二プレート５２は、基板室７を区画している。第二プレート５２は、基台２に連結されている。図６において符号５４は、第二プレート５２の外周端から下方にＬ字状に延出して第二プレート５２と基台２とを連結する第二プレート連結脚を示す。
【００３７】
連結柱５３は、上下方向に延在している。連結柱５３の上端部は、枠体５０よりも上方に延出している。連結柱５３の下端は、基台２（基台本体２０）に連結されている。実施形態において、連結柱５３は、充電器１の前部、左部および右部のそれぞれに一本ずつ合計三本配置されている。連結柱５３の上半部は、ステージ８を案内するガイド機構１１を構成する。
【００３８】
連結柱５３の上部には、枠体５０が外方から連結されている。
連結柱５３の上下中間部には、第一プレート５１が連結されている。図６において符号５５は、第一プレート５１の外周端から外方に延出して連結柱５３の挿通部（連結部）を形成する第一プレート連結片を示す。
【００３９】
＜バッテリ室６＞
図５に示すように、バッテリ室６は、バッテリ４５が載置されるバッテリ室底壁６０と、バッテリ室底壁６０に接続されるバッテリ室側壁６１と、を備える。
【００４０】
バッテリ室底壁６０は、矩形板状をなしている。バッテリ室底壁６０は、第一プレート５１の上面に固定されている。バッテリ室底壁６０の上方空間には、バッテリ４５（図１０参照）と共にステージ８が収容される。バッテリ室底壁６０の外形は、バッテリ４５およびステージ８の外形よりも大きい。
バッテリ室側壁６１は、バッテリ室底壁６０の外周から上方に起立している。
【００４１】
バッテリ室側壁６１の外方には、バッテリ室底壁６０の外周から上方に延びるフランジ部６２（以下「バッテリ室フランジ６２」ともいう。）が設けられている。図６に示すように、バッテリ室フランジ６２は、バッテリ室底壁６０の全周にわたって一様の高さで設けられている。
【００４２】
図８に示すように、バッテリ室６の前部には、バッテリ室底壁６０と基台２とを接続するドレイン管６５が設けられている。ドレイン管６５は、上下方向に延在する配管である。図８において符号６６は、バッテリ室底壁６０の前端から前方に延出してドレイン管６５の上端が接続されるドレイン接続部を示す。
【００４３】
＜基板室７＞
図５に示すように、基板室７は、バッテリ室６の下方に配置されている。上面視で、基板室７は、バッテリ室底壁６０の外周縁よりも内側に配置されている。言い換えると、上面視で、基板室７の外形は、バッテリ室底壁６０の外形よりも小さい。
基板室７は、バッテリ４５（図１０参照）の充電制御を行う複数の基板７１，７２（以下「制御基板７１，７２」ともいう。）と、複数の制御基板７１，７２を格納する基板室底壁７０と、を備える。
【００４４】
複数の制御基板７１，７２は、基板室底壁７０の中央部に搭載された複数の第一制御基板７１と、基板室底壁７０の外周から上方に起立する複数の第二制御基板７２と、である。
複数の第一制御基板７１は、複数の第二制御基板７２によって囲まれている。
複数の第二制御基板７２は、バッテリ４５の充電制御を行う制御回路を内側（基板室７中央）に向けて配置されている。第二制御基板７２は、バッテリ室６の側壁として機能する。第二制御基板７２の外面は、外装体３の内面と対向している。なお、第二制御基板７２の外面には、フィンまたはヒートシンクが設けられていてもよい。
【００４５】
上面視で、基板室底壁７０は、バッテリ室底壁６０よりも小さい矩形板状をなしている。基板室底壁７０は、第二プレート５２の上方に配置されている。基板室底壁７０は、上下方向に延在する柱状のスペーサ７３を介して第二プレート５２の上面に固定されている。なお、基板室底壁７０の下面には、フィンまたはヒートシンクが設けられていてもよい。
【００４６】
＜ステージ８＞
図５に示すように、ステージ８は、バッテリ開口３９の内方に配置されている。ステージ８は、上下方向に移動可能である。端子部９は、バッテリ４５をステージ８に載置しない状態（図５の二点鎖線で示すステージ８の位置）で、ステージ８の下方に配置されている。ステージ８は、バッテリ４５をステージ８に載置したときに、下方に移動することによりバッテリ４５を端子部９に嵌合させる。図５において、ステージ８が最下方に移動した状態を実線で示す。
【００４７】
図２の上面視で、ステージ８は矩形形状をなしている。上面視で、ステージ８は、バッテリ４５（図９参照）の外形と実質的に同一の外形を有している。図２の上面視で、ステージ８は、左右方向に延在する前辺８ａと、後方に凸の湾曲形状をなす後辺８ｂと、前後方向に延在する左右一対の左辺８ｃおよび右辺８ｄと、を有している。
【００４８】
ステージ８には、端子部９と対応する箇所で開口する端子開口８０と、充電器１の内部に連通する連通開口８１と、が設けられている。
端子開口８０は、ステージ８の後部に配置されている。図２の上面視で、端子開口８０は、左右方向に延在している。
連通開口８１は、ステージ８の前部（端子開口８０の前方）に配置されている。図２の上面視で、連通開口８１は、左右方向に長手を有する矩形形状をなしている。
【００４９】
ステージ８の上面には、連通開口８１を覆うリッド８５が設けられている。リッド８５は、ステージ８に着脱可能に取り付けられている。図２の上面視で、リッド８５は、連通開口８１（図７参照）よりも大きい矩形形状をなすリッド本体８６と、リッド本体８６の左右外端から外方に延出する左右一対のリッド延出片８７と、を備える。図２において符号８８は、リッド延出片８７をステージ８に固定するためのボルト等の締結部材が挿通される挿通孔を示す。図７においては、ステージ８からリッド８５を取り外した状態を示す。
【００５０】
ステージ８の四隅には、下方に窪む水抜き凹部８２が設けられている。図２の上面視で、水抜き凹部８２は、円形をなしている。水抜き凹部８２は、中心側ほど下方に位置するように傾斜して窪んでいる。リッド８５前部の角部は、ステージ８と共に水抜き凹部８２を形成している。水抜き凹部８２の中心には、ステージ８を厚み方向（上下方向）に貫通する水抜き孔８３が設けられている。
【００５１】
図７に示すように、ステージ８の下面には、ステージ８を下方から支持するステージ支持体９０が取り付けられている。ステージ支持体９０は、ステージ８の左右側部よりも左右外方に延出する前後一対の左右外方延出部９１と、ステージ８の前部よりも下方に延出する第一下方延出部９２と、ステージ８の左右側部よりも下方に延出する左右一対の第二下方延出部９３と、第二下方延出部９３から前外方に延出する前下方延出部９４と、を備える。
【００５２】
図６に示すように、ステージ８の左右側部には、ステージ８を常時上方へ付勢するステージ付勢部材９５が設けられている。ステージ付勢部材９５は、充電器１の左右側部に一つずつ左右一対設けられている。実施形態において、ステージ付勢部材９５は、上下方向に延在するコイルスプリングである。
ステージ付勢部材９５の上端は、枠体５０の左右側部に取り付けられている。ステージ付勢部材９５の下端は、ステージ支持体９０における前下方延出部９４の下端に取り付けられている。
【００５３】
ステージ付勢部材９５は、バッテリ４５（図１０参照）をステージ８に載置したときに下方に移動したステージ８を、上方へ移動させる。具体的に、ステージ付勢部材９５は、バッテリ４５がステージ８に載置されていないとき、バッテリ室６に収容されているステージ８を、バッテリ４５がステージ８に載置される前の位置に復帰させる。すなわち、端子部９からバッテリ４５が取り外され、バッテリ４５がバッテリ開口３９の外方に取り出されたとき、ステージ付勢部材９５は、バッテリ室６に収容されているステージ８をもとの位置に戻す。
図５において、最下方まで移動したステージ８を実線で示し、下方に移動する前（もとの位置）のステージ８を二点鎖線で示す。
【００５４】
＜端子部９＞
図５に示すように、端子部９は、バッテリ４５をステージ８に載置しない状態で、ステージ８に対してバッテリ４５が載置される側の位置（上側の位置）とは反対側の位置（下側の位置）に配置されている。端子部９は、左右方向に延在する端子支持プレート９６に固定されている。端子支持プレート９６の左右両端部は、上下方向に延在する柱部材（不図示）を介してバッテリ室底壁６０の上面に固定されている。
【００５５】
端子部９において端子支持プレート９６の上面よりも上側の部分は、バッテリ４５の底部に嵌合することにより、バッテリ４５の底部に設けられたバッテリ側端子（不図示）に電気的に接続される。
端子部９において端子支持プレート９６の下面よりも下側の部分は、各種配線（不図示）を介して制御基板７１，７２などに電気的に接続される。
【００５６】
端子部９は、バッテリ室フランジ６２の延出端よりも高い位置に配置されている。言い換えると、端子部９の下端は、バッテリ室フランジ６２の上端よりも上方に配置されている。
【００５７】
図１１に示すように、端子部９は、バッテリ４５がバッテリ開口３９に斜めに挿入されたときに端子部９に向けて最も突出する部分４７（以下「下方最大突出端４７」ともいう。）よりも低い位置に配置されている。
【００５８】
ここで、バッテリ４５の下方最大突出端４７は、直方体状のバッテリ４５がバッテリ開口３９に斜めに挿入されたときに、バッテリ開口３９の中心軸線ＣＬが直方体状のバッテリ４５の角部を二等分する位置における下端を意味する。すなわち、バッテリ４５の下方最大突出端４７は、バッテリ開口３９の中心軸線ＣＬがバッテリ４５の角部の二等分線となるときの下端である。
【００５９】
＜緩衝機構１０＞
緩衝機構１０（図６参照）は、バッテリ４５（図１０参照）をステージ８に載置したときに、端子部９（図５参照）へのバッテリ４５の嵌合速度を抑制する。ここで、嵌合速度は、端子部９がバッテリ４５の底部に嵌合するときの速度を意味する。嵌合速度は、嵌合時におけるバッテリ４５と端子部９との相対速度である。実施形態では、端子部９はバッテリ室底壁６０に対し定位置に固定されているため、嵌合速度はバッテリ４５の下方への移動速度（落下速度）となる。実施形態によれば、緩衝機構１０を有しない構成と比較して、端子部９へのバッテリ４５の嵌合速度が遅くなるため、端子部９に衝撃が発生することを回避することができる。
【００６０】
図２の上面視で、緩衝機構１０は、ステージ８の対辺において、ステージ８の中心位置Ｐ１を対称中心として点対称に複数配置されている。実施形態において、緩衝機構１０は、ステージ８の左辺８ｃと右辺８ｄとにおいて、二回対称（左右軸線を対称軸として線対称）に二つずつ配置されている。図２の上面視で、二つの緩衝機構１０は、ステージ８の二辺（左辺８ｃおよび右辺８ｄ）において、ガイド機構１１を前後方向外方から挟むように配置されている。
【００６１】
図６に示すように、緩衝機構１０は、上下方向に延在するピストンロッド１００と、ピストンロッド１００を摺動自在に収容する筒状のシリンダ１０１と、ピストンロッド１００を上方に付勢するスプリング等の不図示の付勢部材（以下「復帰スプリング」ともいう。）と、を備える。例えば、緩衝機構１０としては、量産品のダンパーが用いられる。
【００６２】
図７に示すように、ピストンロッド１００の上端は、ステージ支持体９０における左右外方延出部９１に取り付けられている。シリンダ１０１の下端は、基台２に固定されている。復帰スプリング（不図示）は、端子部９（図５参照）がバッテリ４５の底部に嵌合するときの衝撃力を抑える。
【００６３】
＜ガイド機構１１＞
ガイド機構１１（図６参照）は、バッテリ４５（図１０参照）をステージ８に載置したときに、ステージ８を案内する。
図２の上面視で、ガイド機構１１は、バッテリ４５の重心位置Ｐ２（図９参照）を囲むように複数配置されている。ここで、バッテリ４５の重心位置は、バッテリ４５の中心位置と実質的に同じ位置である。実施形態において、ガイド機構１１は、バッテリ４５の重心位置Ｐ２を囲む三角形の領域（図２の上面視で逆三角形をなす一点鎖線で囲まれた領域）を形成するように三つ配置されている。
【００６４】
三つのガイド機構１１は、ステージ８の三辺に一つずつ配置されている。実施形態において、三つのガイド機構１１は、ステージ８の前辺８ａ、左辺８ｃおよび右辺８ｄのそれぞれに一つずつ配置されている。
【００６５】
以下、ステージ８の前辺８ａに配置されたガイド機構１１を「前ガイド機構１１」、ステージ８の左辺８ｃに配置されたガイド機構１１を「左ガイド機構１１」、ステージ８の右辺８ｄに配置されたガイド機構１１を「右ガイド機構１１」ともいう。
前ガイド機構１１は、ステージ８の左右方向中心位置に配置されている。
左ガイド機構１１および右ガイド機構１１は、ステージ８の前後方向中心位置よりも後方にオフセットした位置に配置されている。
【００６６】
図６に示すように、ガイド機構１１は、スライダ１１０（図７参照）と、スライダ１１０を摺動自在に支持するレール１１１と、を備える。
図７に示すように、スライダ１１０は、ステージ支持体９０における第一下方延出部９２および第二下方延出部９３に固定されている。
図６に示すように、レール１１１は、連結柱５３の上半部の内側部分に固定されている。
【００６７】
＜冷却ファン２８＞
図１２に示すように、冷却ファン２８は、充電器１の左下部に搭載されている。冷却ファン２８は、基板室７の下方に配置されている。実施形態においては、充電器１の下面１ａから上面１ｂに向けて、冷却ファン２８、基板室７、バッテリ室６の順に配置されている。冷却ファン２８は、基台本体２０の左部に取り付けられている。
【００６８】
図３の下面視で、冷却ファン２８の下部は、基台本体２０の下方に露出している。図１２に示すように、基台２の凹部２３は、床面ＦＬとの間に冷却風を排出可能に開口する排出口２５（隙間）を形成している。排出口２５は、導入口３８よりも床面ＦＬに近接する位置に配置されている。
【００６９】
例えば、冷却ファン２８は、軸流ファンである。冷却ファン２８は、床面ＦＬから離反する位置に配置された導入口３８から冷却風を導入し、導入口３８よりも床面ＦＬに近接する位置に配置された排出口２５から冷却風を排出する。すなわち、冷却ファン２８は、充電器１の上部から冷却風を吸込み、充電器１の下部から充電器１の内部を通過した風を吐き出す。図１２において符号Ｖ１は、冷却風（風）が流れる方向を示す。
【００７０】
＜冷却ファン２８と第二制御基板７２との位置関係＞
図１３は、図５のＸＩＩＩ−ＸＩＩＩ断面を含む図である。図１３においては、基板室底壁７０などの図示を省略している。
図１３の上面視で、冷却ファン２８は、基台本体２０の中央位置に配置されている。図１３の上面視で、三つの第二制御基板７２は、バッテリ４５の充電制御を行う制御回路を内側（基板室７中央）に向けて配置されている。第二制御基板７２の内面には、制御回路を含む制御チップが複数設けられている。
【００７１】
第二制御基板７２の外面は、外装体３の内面と間隔をあけて対向している。第二制御基板７２の外面と外装体３の内面との間の隙間１５は、冷却風の通路として機能する。すなわち、第二制御基板７２の冷却面は、外装体３の内面を向くように配置されている。
【００７２】
図１３の上面視で、三つの第二制御基板７２は、左方を開放するＵ字状をなすように配置されている。三つの第二制御基板７２は、外装体３の前壁３１、後壁３２および右壁３４のそれぞれの内面と間隔をあけて対向している。冷却ファン２８は、三つの第二制御基板７２によって囲まれる領域に配置されている。
【００７３】
以下、外装体３の前壁３１と対向する第二制御基板７２を「前第二制御基板７２」、外装体３の後壁３２と対向する第二制御基板７２を「後第二制御基板７２」、外装体３の右壁３４と対向する第二制御基板７２を「右第二制御基板７２」ともいう。
図１３の上面視で、冷却ファン２８は、前第二制御基板７２と後第二制御基板７２との間の中央位置に配置されている。冷却ファン２８と右第二制御基板７２との離反間隔は、冷却ファン２８と前第二制御基板７２（または後第二制御基盤７２）との離反間隔よりも大きい。
【００７４】
＜ＬＥＤ基板１３０＞
図９に示すように、カバー本体４０には、ＬＥＤ基板１３０が設けられていてもよい。ＬＥＤ基板１３０は、カバー本体４０とガイド機構１１との上下方向間に配置されている。ＬＥＤ基板１３０は、左右方向に長手を有する長方形板状をなしている。ＬＥＤ基板１３０には、複数のＬＥＤ素子１３１が左右方向に間隔をあけて直線状に並んで配置されている。ＬＥＤ基板１３０の左右端部は、ガイド機構１１を避けた位置で、カバー本体４０に取り付けられている。例えば、ＬＥＤ基板１３０の左右端部は、タッピングねじ等の固定部材１３２によってカバー本体４０に固定されている。上面視で、ガイド機構１１は、ＬＥＤ基板１３０の左右中央部と重なる位置に配置されている。上面視で、ガイド機構１１は、ＬＥＤ基板１３０の前端よりも後方に位置している。
【００７５】
カバー本体４０においてＬＥＤ基板１３０が設けられている部分（左右方向に延在する前辺部）は、少なくともＬＥＤ基板１３０の分の幅（前後長さ）が必要となる。実施形態では、ＬＥＤ基板１３０の分の幅を利用してガイド機構１１を配置している。具体的に、カバー本体４０においてＬＥＤ基板１３０が設けられている部分にガイド機構１１を配置し、ＬＥＤ基板１３０が設けられていない部分（左右方向に延在する後辺部）にはガイド機構１１を配置していない。これにより、ＬＥＤ基板１３０が設けられていない部分の幅を可及的に狭くすることができ、充電器１の設置面積を小さくすることができる。
【００７６】
＜作用＞
以下、実施形態の充電器１の作用について説明する。
実施形態においては、バッテリ４５をステージ８に載置しない状態（以下「初期状態」ともいう。）で、ステージ８はバッテリ開口３９の内方に配置されている（図５参照）。
初期状態で、端子部９はステージ８の下方に配置されている。図５において、初期状態の位置にあるステージ８を二点鎖線で示す。
【００７７】
初期状態において、バッテリ４５をステージ８に載置すると、ステージ８はバッテリ４５と共に下方に移動し、バッテリ室底壁６０に近接する。図５において、バッテリ室底壁６０に近接した位置にあるステージ８を実線で示す。
実施形態においては、左右一対のステージ付勢部材９５（図６では左のステージ付勢部材９５のみ図示）がステージ８を常時上方へ付勢しているため、ステージ８はバッテリ４５と共にステージ付勢部材９５の付勢力に抗して下方へ移動していく。
加えて、実施形態においては、三つのガイド機構１１（図６参照）がステージ８の三辺に一つずつ配置されているため、ステージ８をバッテリ４５と共に下方へスムーズに移動させることができる。ステージ８が下方へ移動するに従って、端子開口８０からは端子部９が上方に徐々に突出してくる。
【００７８】
ステージ８がバッテリ４５と共に下降してバッテリ室底壁６０に近接した状態（以下「ステージ下降状態」ともいう。）で、端子部９は端子開口８０を通じてバッテリ４５の底部に嵌合する。
実施形態においては、二つの緩衝機構１０（図６参照）がステージ８の二辺においてガイド機構１１を前後方向外方から挟むように配置されているため、端子部９へのバッテリ４５の嵌合時に、端子部９に作用する負荷をバランスよく抑制することができる。
【００７９】
ステージ下降状態において、端子部９からバッテリ４５が取り外され、バッテリ４５がバッテリ開口３９の外方に取り出されると、ステージ８はもとの位置（初期状態の位置）に戻る。
実施形態においては、左右一対のステージ付勢部材９５（図６参照）がステージ８を常時上方へ付勢しているため、バッテリ４５が載置されていないステージ８を、もとの位置へスムーズに移動させることができる。
【００８０】
＜冷却風の流れ＞
以下、実施形態の冷却ファン２８の作用について説明する。
実施形態において、冷却ファン２８（図１２参照）は、充電器１の上部から冷却風を吸込み、充電器１の下部から充電器１の内部を通過した風を吐き出す。
【００８１】
図１２に示すように、冷却ファン２８が駆動すると、充電器１の上部に位置する導入口３８から、冷却風として外気（空気）が充電器１の内部に吸い込まれる。
実施形態においては、充電器１の上面１ｂの角部が弧状をなしているため、充電器１を設置面ＦＬに複数並べて隣接させた場合であっても、隣り合う二つの充電器１の上面１ｂの角部同士が接触しない（図１４参照）。すなわち、図１４に示すように、隣り合う二つの充電器１の角部の間に隙間１６が生じる。したがって、充電器１の上面１ｂの角部において風の流れは妨げられ難く、導入口３８を通じて充電器１の内部に冷却風をスムーズに導入することができる。
【００８２】
図１２に示すように、冷却風が導入口３８を通じて充電器１の内部に入り込むと、冷却風は、バッテリ室側壁６１と外装体３の内面との間の隙間、および第二制御基板７２の外面と外装体３の内面との間の隙間１５（図１３参照）を通じて充電器１の内部を下方へ流れていく。
実施形態においては、充電器１の下面１ａから上面１ｂに向けて、冷却ファン２８、基板室７、バッテリ室６の順に配置されているため、導入口３８からの冷却風は、バッテリ室６、基板室７の順に流れる。したがって、基板室７を通過して暖まった風がバッテリ室６に流れる可能性は低い。
【００８３】
冷却風が充電器１の内部を下方へ流れると、基板室７を通過して暖まった風は、充電器１の下部に位置する排出口２５から排出される。
実施形態においては、基台２の凹部２３が床面ＦＬとの間に排出口２５を形成しているため、充電器１の内部を通過して暖まった風を、充電器１の外部にスムーズに排出することができる。
【００８４】
以上説明したように、上記実施形態の充電器１は、電動車両に用いられる可搬型のバッテリ４５の充電器１の内部に配置された冷却ファン２８と、充電器１が設置される設置面ＦＬに対向する第一面１ａと、第一面１ａよりも設置面ＦＬから離反する第二面１ｂと、を備え、第一面１ａは、第二面１ｂよりも小さく、側面視で、充電器１の側壁３は、第一面１ａに沿う第一辺が第二面１ｂに沿う第二辺よりも短い台形形状をなしている。
この構成によれば、充電器１の内部に配置された冷却ファン２８を備えることで、冷却ファン２８により冷却風を充電器１の内部に送ることができるため、充電器１を冷却することができる。加えて、充電器１は、充電器１が設置される設置面ＦＬに対向する第一面１ａと、第一面１ａよりも設置面ＦＬから離反する第二面１ｂと、を備え、第一面１ａは、第二面１ｂよりも小さく、側面視で、充電器１の側壁３は、第一面１ａに沿う第一辺が第二面１ｂに沿う第二辺よりも短い台形形状をなしていることで、以下の効果を奏する。例えば、側面視で充電器の側壁が矩形をなしていると、充電器を設置面に複数並べて隣接させた場合、隣り合う二つの充電器の側壁同士が接触するため、隣り合う二つの充電器の間に熱がこもり易く、冷却性能が低下する可能性が高い。これに対し、この構成によれば、側面視で充電器１の側壁３が台形形状をなしていることにより、充電器１を設置面ＦＬに複数並べて隣接させた場合であっても、隣り合う二つの充電器１の側壁３同士が接触しないため（図１５に示すように、隣り合う二つの充電器１の側壁３の間に隙間１７が生じるため）、隣り合う二つの充電器１の間に熱がこもり難く、冷却性能が低下する可能性は低い。加えて、充電器１を設置面ＦＬに複数並べて隣接させた場合であっても、隣の充電器１からのもらい熱を抑え、隣り合う二つの充電器１の側壁３の間に生じる隙間１７で充電器１を冷却することができる。加えて、充電器１の側壁３は、第一面１ａに沿う第一辺が第二面１ｂに沿う第二辺よりも短い台形形状をなしていることで、第一辺が第二辺よりも長い台形形状をなす場合と比較して、充電器１の設置面積を小さくすることができる。
【００８５】
上記実施形態では、第一面１ａとしての充電器１の下面１ａは、第二面１ｂとしての充電器１の上面１ｂよりも小さく、側面視で、側壁３は、下面１ａに沿う下辺が上面１ｂに沿う上辺よりも短い台形形状をなしていることで、以下の効果を奏する。上下方向に起立する充電器１を水平面に平行な設置面ＦＬに複数並べて隣接させた場合であっても、隣り合う二つの充電器１の側壁３同士が接触しないため、隣り合う二つの充電器１の間に熱がこもり難く、冷却性能が低下する可能性は低い。
【００８６】
上記実施形態では、バッテリ４５を挿入可能かつ取り出し可能に開口する開口部３９を形成し、側壁３を外方から覆うカバー部材４を更に備え、側壁３とカバー部材４との間には、冷却風を導入可能に開口する導入口３８が設けられていることで、以下の効果を奏する。充電器１の側壁３に冷却風用の開口部を設けることなく、充電器１の側壁３とカバー部材４との間の導入口３８を利用して冷却風の導入を制御することができる。すなわち、充電器１の側壁３に特別な加工を施す必要がなく、好適である。
【００８７】
上記実施形態では、バッテリ４５を載置するバッテリ室６と、バッテリ４５の充電制御を行う基板７１，７２を格納する基板室７と、を更に備え、第一面１ａから第二面１ｂに向けて、冷却ファン２８、基板室７、バッテリ室６の順に配置されていることで、以下の効果を奏する。冷却ファン２８、基板室７およびバッテリ室６が第一面１ａから第二面１ｂに向けて重なるように配置されるため、冷却ファン２８、基板室７およびバッテリ室６が第一面１ａに沿うように配置された場合と比較して、充電器１の設置面積を小さくすることができる。
【００８８】
上記実施形態では、第一面１ａよりも設置面ＦＬから離反する位置には、冷却風を導入可能に開口する導入口３８が設けられ、導入口３８よりも設置面ＦＬに近接する位置には、冷却風を排出可能に開口する排出口２５が設けられていることで、以下の効果を奏する。設置面ＦＬに存在する塵埃などの異物が充電器１の内部に吸い込まれ難くなるため、冷却ファン２８の性能が低下することを抑制することができる。加えて、第一面１ａから第二面１ｂに向けて、冷却ファン２８、基板室７、バッテリ室６の順に配置されている場合には、導入口３８からの冷却風は、バッテリ室６、基板室７の順に流れ、排出口２５から排出されるため、基板室７を通過して暖まった風がバッテリ室６に流れる可能性は低く、バッテリ室６への熱影響を防止することができる。
【００８９】
上記実施形態では、第二面１ｂの角部は、弧状をなしていることで、以下の効果を奏する。充電器１を設置面ＦＬに複数並べて隣接させた場合であっても、隣り合う二つの充電器１の第二面１ｂの角部同士が接触しないため（図１４に示すように、隣り合う二つの充電器１の角部の間に隙間１６が生じるため）、角部において風の流れが妨げられ難く、冷却性能が向上する。
【００９０】
＜変形例＞
上記実施形態では、充電器１が設置される設置面を屋内の平坦な床面ＦＬとした例を挙げて説明したが、これに限らない。例えば、充電器１の設置面は、屋外の地面であってもよく、水平面に対して傾斜する傾斜面であってもよい。
【００９１】
上記実施形態では、ステージ８の移動方向から見て、ステージ８が矩形形状をなしている例を挙げて説明したが、これに限らない。例えば、ステージ８の移動方向から見て、ステージ８は、矩形以外の多角形形状をなしていてもよい、円形形状または楕円形形状をなしていてもよい。
【００９２】
上記実施形態では、ステージ８の移動方向から見て、緩衝機構１０が、ステージ８の対辺において、ステージ８の中心位置Ｐ１を対称中心として点対称に複数配置されている例を挙げて説明したが、これに限らない。例えば、ステージ８の移動方向から見て、緩衝機構１０は、ランダムに複数配置されていてもよい。
【００９３】
上記実施形態では、緩衝機構１０が複数配置されている例を挙げて説明したが、これに限らない。例えば、緩衝機構１０は一つのみ配置されていてもよい。
【００９４】
上記実施形態では、ステージ８の移動方向から見て、ガイド機構１１がバッテリ４５の重心位置Ｐ２を囲むように複数配置されている例を挙げて説明したが、これに限らない。例えば、ガイド機構１１は、バッテリ４５の重心位置Ｐ２を囲まないように複数配置されていてもよい。あるいは、ガイド機構１１を二つ配置し、バッテリ４５の重心位置Ｐ２と二つのガイド機構１１とを一直線状に並ぶように配置してもよい。
【００９５】
上記実施形態では、ガイド機構１１が複数配置されている例を挙げて説明したが、これに限らない。例えば、ガイド機構１１は一つのみ配置されていてもよい。
【００９６】
上記実施形態では、ステージ８の移動方向から見て、緩衝機構１０は、ステージ８の二辺において、ガイド機構１１を挟むように複数配置されている例を挙げて説明したが、これに限らない。例えば、緩衝機構１０は、ステージ８の一辺または三辺以上の辺において、ガイド機構１１を挟むように複数配置されていてもよい。すなわち、ステージ８の移動方向から見て、緩衝機構１０は、ステージ８の少なくとも一辺において、ガイド機構１１を挟むように複数配置されていてもよい。
【００９７】
上記実施形態では、ステージ８が開口部３９の内方に配置されている例を挙げて説明したが、これに限らない。例えば、ステージ８は、開口部３９の外方に配置されていてもよい。
【００９８】
上記実施形態では、緩衝機構１０およびガイド機構１１が別個独立に設けられている例を挙げて説明したが、これに限らない。例えば、緩衝機構１０およびガイド機構１１が一体に設けられていてもよい。例えば、緩衝機構１０がバッテリ４５の緩衝機能およびステージ８の案内機能のそれぞれを持っていてもよい。
【００９９】
上記実施形態では、側壁３とカバー部材４との間には、冷却風を導入可能に開口する導入口３８が設けられている例を挙げて説明したが、これに限らない。例えば、側壁とカバー部材４との間には、冷却風を排出可能に開口する排出口が設けられていてもよい。
この構成によれば、充電器１の側壁３に冷却風用の開口部を設けることなく、充電器１の側壁３とカバー部材４との間の排出口（隙間部）を利用して冷却風の排出を制御することができる。この構成においても、充電器１の側壁３に特別な加工を施す必要がなく、好適である。
すなわち、側壁３とカバー部材４との間には、冷却風を導入可能または排出可能に開口する隙間部３８が設けられていてもよい。
【０１００】
上記実施形態では、充電器１の下面１ａから上面１ｂに向けて、冷却ファン２８、基板室７、バッテリ室６の順に配置されている例を挙げて説明したが、これに限らない。例えば、充電器１の下面１ａから上面１ｂに向けて、冷却ファン２８、バッテリ室６、基板室７の順に配置されていてもよい。また、充電器１の下面１ａから上面１ｂに向けて、バッテリ室６、基板室７、冷却ファン２８の順に配置されていてもよい。すなわち、冷却ファン２８、基板室７、バッテリ室６の配置順は、冷却ファン２８の仕様（送風方向、出力、形状、サイズなど）、充電器１の仕様（内部構造、形状、サイズなど）に応じて適宜変更してもよい。
【０１０１】
上記実施形態では、充電器１の上面１ｂの角部が弧状をなしている例を挙げて説明したが、これに限らない。例えば、充電器１の上面１ｂの角部は、隣り合う二辺に対して傾斜していてもよい。すなわち、充電器１の上面１ｂの角部は、面取りされていてもよい。また、充電器１の上面１ｂの角部は、直角形状をなしていてもよい。
【０１０２】
上記実施形態では、第一面１ａよりも設置面ＦＬから離反する位置には、冷却風を導入可能に開口する導入口３８が設けられ、導入口３８よりも設置面ＦＬに近接する位置には、冷却風を排出可能に開口する排出口２５が設けられている例を挙げて説明したが、これに限らない。例えば、図１６に示すように、第一面１ａよりも設置面ＦＬから離反する位置には、冷却風を排出可能に開口する排出口３８が設けられ、排出口３８よりも設置面ＦＬに近接する位置には、冷却風を導入可能に開口する導入口２５が設けられていてもよい。すなわち、冷却ファン２８は、充電器１の下部から冷却風を吸込み、充電器１の上部から充電器１の内部を通過した風を吐き出してもよい。図１６において符号Ｌ１は、冷却風（風）が流れる方向を示す。
この構成によれば、導入口２５からの冷却風は、基板室７、バッテリ室６の順に流れ、排出口３８から排出されるため、基板（図５に示す第二制御基板７２）に冷却風を直接当てることができ、基板の冷却効率が向上する。
【０１０３】
上記実施形態では、冷却ファン２８と右第二制御基板７２との離反間隔が、冷却ファン２８と前第二制御基板７２（または後第二制御基盤７２）との離反間隔よりも大きい例（図１３参照）を挙げて説明したが、これに限らない。
図１７は、図１３に相当する断面を含む図である。図１７においては、基板室底壁７０などの図示を省略している。
例えば、図１７の上面視で、冷却ファン２８は、前第二制御基板７２の右部と後第二制御基板７２の右部との間の中央位置に配置されていてもよい。冷却ファン２８と右第二制御基板７２との離反間隔は、冷却ファン２８と前第二制御基板７２（または後第二制御基盤７２）との離反間隔よりも小さくてもよい。すなわち、冷却ファン２８は、図１３の位置よりも、右第二制御基板７２に近接する位置に配置されていてもよい。
この構成によれば、冷却ファン２８が図１３の位置に配置された場合と比較して、右第二制御基板７２の冷却効率を高めることができる。
【０１０４】
例えば、図１８に示すように、基板本体２０の中央領域（下面視で冷却ファン２８と重なる領域）には、複数の開口２７１を有する導風構造２７０が設けられていてもよい。下面視で、各開口２７１は、導風構造２７０の中心位置Ｃ１を同心とした円弧状をなしている。導風構造２７０の外周部には、冷却ファン２８固定用の複数（本変形例では四つ）のボス２７２が設けられている。図１９に示すように、各ボス２７２は、基板本体２０から下方に突出している。ボス２７２は、基板本体２０の下方から開口２７１が塞がれることを防止する機能を有する。図１９において符号２７３は、冷却ファン２８をボスに固定するためのボルト（締結部材）を示す。
【０１０５】
図１９の断面視で、基板本体２０には、各開口２７１を区画するテーパー部２７４が設けられている。図１９の断面視で、テーパー部２７４は、導風構造２７０の中心位置Ｃ１（冷却ファン２８の中心軸線Ｃ１）に近接するほど上方に位置するように傾斜している。これにより、冷却風（風）をテーパー部２７４の傾斜に沿って導くことができる。
【０１０６】
上記実施形態では、スライダ１１０が、ステージ支持体９０における第一下方延出部９２および第二下方延出部９３に固定されている例を挙げて説明したが、これに限らない。例えば、図２０に示すように、スライダ２１０を含むステージ周辺部品２０９は、一体成形されていてもよい。例えば、ステージ周辺部品２０９の形成材料は、樹脂材料を用いる。図２０において、符号２１０はスライダ、符号２１１はピストンロッド１００の上端を支持するロッド上支持部、符号２１２はステージ８（図２１参照）の外形に沿う矩形枠状をなす枠壁をそれぞれ示す。
【０１０７】
本変形例において、ステージ８（図２１参照）、スライダ２１０、ロッド上支持部２１１および枠壁２１２は、同一の部材で一体に形成されている。すなわち、ステージ８およびステージ周辺部品２０９は、同一の部材で一体に形成されている。これにより、ステージ８を含む周辺構造が簡易化し、充電器の組み立てが容易になる。
【０１０８】
図２０において、符号２２０はカバー本体４０の四つの角部から下方に延出する下方延出壁を示す。下方延出壁２２０は、枠壁２１２の内方に配置されている。下方延出壁２２０は、枠壁２１２を介してステージ８の上下方向への移動を案内するガイド壁として機能する。図２０においては、初期状態の位置にあるステージ周辺部品２０９を実線で示し、バッテリ室底壁（基板室上壁２５０）に近接した位置にあるステージ周辺部品２０９を二点鎖線で示す。
【０１０９】
図２１においては、初期状態の位置にあるステージ８（最上方に位置している状態）を示す。図２２においては、ステージ８が最下方に移動した状態を示す。
ところで、カバー本体４０に下方延出壁２２０を設けた場合、ステージ８が下方に移動すると、ステージ８とカバー部材４との上下方向間に隙間が生じてしまう。これに対し、本変形例では、枠体２１２の上下高さを、前記隙間を塞ぐ大きさに設定したことで、ステージ８が下方に移動した場合でも、ステージ８とカバー部材４との間に隙間が生じることを防止することができる。したがって、ステージ８とカバー部材４との間等に物が落ちることなどを防止することができる。
【０１１０】
上記実施形態では、基板室７が、複数の制御基盤７１，７２と、複数の制御基板７１，７２を格納する基板室底壁７０と、を備える例を挙げて説明したが、これに限らない。例えば、図２０に示すように、基板室７Ａは、複数の制御基板（不図示）を格納する基板室上壁２５０と、基板室上壁２５０の外周から下方に延びるフランジ壁２５１と、を備えていてもよい。すなわち、本変形例の基板室７Ａは、実施形態における基板室７を上下方向に反転した構成を有している。例えば、複数の制御基盤（不図示）は、ポッティング等により基板室上壁２５０に固定されている。本変形例において、基板室上壁２５０は、バッテリ室底壁としても機能する。
【０１１１】
複数の制御基板（不図示）は、基板室上壁２５０の中央部に搭載された複数の第一制御基板と、基板室上壁２５０の外周から下方に起立する複数の第二制御基板と、である。本変形例において、第二制御基板の高さは、第一制御基板の高さよりも低い。冷却ファン２８は、上面視で、基板室上壁２５０の中央部と重なる位置に配置されている。言い換えると、冷却ファン２８は、複数の第一制御基板を避けた位置（上面視で複数の第二制御基板と重なる位置）に配置されている。すなわち、冷却ファン２８は、基板の高さが低い部分に配置されている。これにより、充電器の全体的な高さを短縮することができる。
【０１１２】
なお、本発明は上記実施形態に限られるものではなく、例えば、前記鞍乗型電動車両には、運転者が車体を跨いで乗車する車両全般が含まれ、自動二輪車（原動機付自転車及びスクータ型車両を含む）のみならず、三輪（前一輪且つ後二輪の他に、前二輪且つ後一輪の車両も含む）の車両も含まれる。また、本発明は、自動二輪車のみならず、自動車等の四輪の車両にも適用可能である。
例えば、充電器は、自動二輪車のモバイルバッテリの充電器に限らず、電動車両以外の電気機器の充電器に適用してもよい。
そして、上記実施形態における構成は本発明の一例であり、実施形態の構成要素を周知の構成要素に置き換える等、本発明の要旨を逸脱しない範囲で種々の変更が可能である。
【符号の説明】
【０１１３】
１  充電器
１ａ  第一面（下面）
１ｂ  第二面（上面）
３  外装体（側壁）
４  カバー部材
６  バッテリ室
７  基板室
２５  排出口、導入口
２８  冷却ファン
３８  導入口、排出口（隙間部）
３９  バッテリ開口（開口部）
４５  バッテリ
７１，７２  制御基板（基板）
ＦＬ  設置面
【図１】
2019176243.tif 000003
【図２】
2019176243.tif 000004
【図３】
2019176243.tif 000005
【図４】
2019176243.tif 000006
【図５】
2019176243.tif 000007
【図６】
2019176243.tif 000008
【図７】
2019176243.tif 000009
【図８】
2019176243.tif 000010
【図９】
2019176243.tif 000011
【図１０】
2019176243.tif 000012
【図１１】
2019176243.tif 000013
【図１２】
2019176243.tif 000014
【図１３】
2019176243.tif 000015
【図１４】
2019176243.tif 000016
【図１５】
2019176243.tif 000017
【図１６】
2019176243.tif 000018
【図１７】
2019176243.tif 000019
【図１８】
2019176243.tif 000020
【図１９】
2019176243.tif 000021
【図２０】
2019176243.tif 000022
【図２１】
2019176243.tif 000023
【図２２】
2019176243.tif 000024
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
電動車両に用いられる可搬型のバッテリ（４５）の充電器（１）の内部に配置された冷却ファン（２８）と、
前記充電器（１）が設置される設置面（ＦＬ）に対向する第一面（１ａ）と、前記第一面（１ａ）よりも前記設置面（ＦＬ）から離反する第二面（１ｂ）と、を備え、
前記第一面（１ａ）は、前記第二面（１ｂ）よりも小さく、
側面視で、前記充電器（１）の側壁（３）は、前記第一面（１ａ）に沿う第一辺が前記第二面（１ｂ）に沿う第二辺よりも短い台形形状をなし、
前記バッテリ（４５）を載置するバッテリ室（６）と、
前記バッテリ（４５）の充電制御を行う基板（７１，７２）を格納する基板室（７）と、を更に備え、
前記第一面（１ａ）から前記第二面（１ｂ）に向けて、前記冷却ファン（２８）、前記基板室（７）、前記バッテリ室（６）の順に配置され、
前記基板室（７）と前記側壁（３）との距離は、前記バッテリ室（６）と前記側壁（３）との距離よりも小さいことを特徴とする可搬型バッテリの充電器。
【請求項２】
前記第一面（１ａ）としての前記充電器（１）の下面（１ａ）は、前記第二面（１ｂ）としての前記充電器（１）の上面（１ｂ）よりも小さく、
側面視で、前記側壁（３）は、前記下面（１ａ）に沿う下辺が前記上面（１ｂ）に沿う上辺よりも短い台形形状をなしていることを特徴とする請求項１に記載の可搬型バッテリの充電器。
【請求項３】
バッテリ（４５）を挿入可能かつ取り出し可能に開口する開口部（３９）を形成し、前記側壁（３）を外方から覆うカバー部材（４）を更に備え、
前記側壁（３）と前記カバー部材（４）との間には、冷却風を導入可能または排出可能に開口する隙間部（３８）が設けられていることを特徴とする請求項１または２に記載の可搬型バッテリの充電器。
【請求項４】
前記第一面（１ａ）よりも前記設置面（ＦＬ）から離反する位置には、冷却風を導入可能に開口する導入口（３８）が設けられ、
前記導入口（３８）よりも前記設置面（ＦＬ）に近接する位置には、前記冷却風を排出可能に開口する排出口（２５）が設けられていることを特徴とする請求項１から３のいずれか一項に記載の可搬型バッテリの充電器。
【請求項５】
前記第一面（１ａ）よりも前記設置面（ＦＬ）から離反する位置には、冷却風を排出可能に開口する排出口（３８）が設けられ、
前記排出口（３８）よりも前記設置面ＦＬに近接する位置には、前記冷却風を導入可能に開口する導入口（２５）が設けられていることを特徴とする請求項１から３のいずれか一項に記載の可搬型バッテリの充電器。
【請求項６】
前記第二面（１ｂ）の角部は、弧状をなしていることを特徴とする請求項１から５のいずれか一項に記載の可搬型バッテリの充電器。
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
電動車両に用いられる可搬型のバッテリ（４５）の充電器（１）の内部に配置された冷却ファン（２８）と、
前記充電器（１）が設置される設置面（ＦＬ）に対向する第一面（１ａ）と、前記第一面（１ａ）よりも前記設置面（ＦＬ）から離反する第二面（１ｂ）と、を備え、
前記第一面（１ａ）は、前記第二面（１ｂ）よりも小さく、
側面視で、前記充電器（１）の側壁（３）は、前記第一面（１ａ）に沿う第一辺が前記第二面（１ｂ）に沿う第二辺よりも短い台形形状をなし、
前記バッテリ（４５）を載置するバッテリ室（６）と、
前記バッテリ（４５）の充電制御を行う基板（７１，７２）を格納する基板室（７）と、を更に備え、
前記第一面（１ａ）から前記第二面（１ｂ）に向けて、前記冷却ファン（２８）、前記基板室（７）、前記バッテリ室（６）の順に配置され、
前記基板室（７）と前記側壁（３）との距離は、前記バッテリ室（６）と前記側壁（３）との距離よりも小さく、
前記第二面（１ｂ）の角部は、弧状をなし、
前記バッテリ室（６）は、前記バッテリ（４５）を１つのみ配置可能であり、
前記充電器（１）は、前記バッテリ室（６）を１つのみ有することを特徴とする可搬型バッテリの充電器。
【請求項２】
前記第一面（１ａ）としての前記充電器（１）の下面（１ａ）は、前記第二面（１ｂ）としての前記充電器（１）の上面（１ｂ）よりも小さく、
側面視で、前記側壁（３）は、前記下面（１ａ）に沿う下辺が前記上面（１ｂ）に沿う上辺よりも短い台形形状をなしていることを特徴とする請求項１に記載の可搬型バッテリの充電器。
【請求項３】
バッテリ（４５）を挿入可能かつ取り出し可能に開口する開口部（３９）を形成し、前記側壁（３）を外方から覆うカバー部材（４）を更に備え、
前記側壁（３）と前記カバー部材（４）との間には、冷却風を導入可能または排出可能に開口する隙間部（３８）が設けられていることを特徴とする請求項１または２に記載の可搬型バッテリの充電器。
【請求項４】
前記第一面（１ａ）よりも前記設置面（ＦＬ）から離反する位置には、冷却風を導入可能に開口する導入口（３８）が設けられ、
前記導入口（３８）よりも前記設置面（ＦＬ）に近接する位置には、前記冷却風を排出可能に開口する排出口（２５）が設けられていることを特徴とする請求項１から３のいずれか一項に記載の可搬型バッテリの充電器。
【請求項５】
前記第一面（１ａ）よりも前記設置面（ＦＬ）から離反する位置には、冷却風を排出可能に開口する排出口（３８）が設けられ、
前記排出口（３８）よりも前記設置面ＦＬに近接する位置には、前記冷却風を導入可能に開口する導入口（２５）が設けられていることを特徴とする請求項１から３のいずれか一項に記載の可搬型バッテリの充電器。
【国際調査報告】
2019176243.tif 000025
2019176243.tif 000026